(57)【要約】【課題】被捜索者側の無線端末装置を長時間稼動させつつ、より確実に被捜索側の無線端末装置を発見することができる無線端末装置を提供する。【解決手段】通信端末装置を、無線通信手段１と、識別子送信手段２と、検知手段３を備える構成とする。無線通信手段１は、無線信号を送受信する。識別子送信手段２は、捜索時用としてあらかじめ設定された文字列を含む第１の識別子の情報を、無線通信手段１を介して送信する。検知手段３は、第１の識別子を受信した無線端末装置からの応答を基に、応答の発信元の無線端末装置の存在を検知する。【選択図】      図１
2018151839.tif 000002
【特許請求の範囲】
【請求項１】
無線信号を送受信する無線通信手段と、
捜索時用としてあらかじめ設定された文字列を含む第１の識別子の情報を、前記無線通信手段を介して送信する識別子送信手段と、
前記第１の識別子を受信した無線端末装置からの応答を基に、前記応答の発信元の前記無線端末装置の存在を検知する検知手段と
を備えることを特徴とする無線端末装置。
【請求項２】
自装置の位置情報を取得する位置情報取得手段をさらに備え、
前記識別子送信手段は、捜索時用の前記文字列と、前記位置情報とを含む前記第１の識別子の情報を送信することを特徴とする請求項１に記載の無線端末装置。
【請求項３】
前記応答の発信元の前記無線端末装置の存在を検知したとき、前記応答の発信元の前記無線端末装置が存在することを示す情報を出力する情報出力手段をさらに備え、
前記情報出力手段は、前記応答の発信元の前記無線端末装置の位置情報が前記応答に含まれているとき、前記応答の発信元の前記無線端末装置の位置情報をさらに出力することを特徴とする請求項１または２に記載の無線端末装置。
【請求項４】
無線信号を送受信する通信手段と、
前記通信手段が受信する前記無線信号に、捜索時用としてあらかじめ設定された文字列を含む第１の識別子の情報が含まれているとき、前記無線信号に対する応答を発信する応答手段と
を備えることを特徴とする無線端末装置。
【請求項５】
自装置の位置情報を取得する位置情報取得手段をさらに備え、
前記応答手段は、前記位置情報を含む前記応答を発信することを特徴とする請求項４に記載の無線端末装置。
【請求項６】
被捜索時用としてあらかじめ設定された文字列と、自装置の前記位置情報とを含む第２の識別子の情報を生成し、前記通信手段を介して送信する識別子生成手段をさらに備えることを特徴とする請求項５に記載の無線端末装置。
【請求項７】
無線信号を送受信する通信手段と、
前記通信手段が受信する前記無線信号に、他の無線端末装置の識別子の情報が含まれているとき、被捜索時用としてあらかじめ設定された文字列と、自装置の前記位置情報とを含む第２の識別子の情報を生成し、前記通信手段を介して送信する識別子生成手段
を備えることを特徴とする無線端末装置。
【請求項８】
請求項１から３いずれかに記載の無線端末装置からなる第１の端末装置と、
請求項４から７いずれかに記載の無線端末装置からなる第２の端末装置と
を備え、
前記第１の端末装置の前記識別子送信手段は前記識別子の情報を送信し、前記識別子の情報を受信した前記第２の端末装置の前記応答手段は、前記識別子を受信したことを示す前記応答を発信することを特徴とする捜索システム。
【請求項９】
複数の前記第１の端末装置を備え、
複数の前記第１の端末装置のいずれかが前記第２の端末装置が発信した前記応答を検知したときに、前記応答を検知したことを示す情報を前記第１の端末装置間で中継して伝送することを特徴とする請求項８に記載の捜索システム。
【請求項１０】
捜索時用としてあらかじめ設定された文字列を含む第１の無線端末装置の識別子の情報を送信し、
第２の無線端末装置が受信した無線信号に、前記識別子の情報が含まれているとき、前記無線信号に対する応答を前記第２の無線端末装置から発信し、
前記第２の無線端末装置から発信された前記応答を基に、前記第２の無線端末装置の存在を検知することを特徴とする通信方法。
【発明の詳細な説明】
【技術分野】
【０００１】
本発明は、無線通信技術に関するものであり、特に、無線端末装置の存在を検知する技術に関するものである。
【背景技術】
【０００２】
土砂災害や地震による家屋の倒壊、遭難、事件または事故等の発生によって行方不明となった被捜索者は、声、音、身体の動きまたは光の放射など様々な方法で周囲に自分の存在を伝えようとする。また、被捜索者が携帯電話等の無線端末装置を所持している場合には、他者と通信を行うことで自分の居場所を周囲に伝えて救助を要請することも行われる。
【０００３】
しかし、このような方法では、周囲に人がいない場合に、被捜索者の体力の消耗や無線端末装置の電池切れ等によって救助の機会を逃す恐れがある。また、見通しが悪い環境において、被捜索者の体力や無線端末装置の電池の残量を温存しようとした場合や、事件等に巻き込まれて身体の自由を奪われている場合には、適切なタイミングで周囲に自身の存在を知らせることができずに救助の機会を逃す恐れもある。そのため、被捜索者の体力を温存し、所持している無線端末装置の稼働時間を長時間化しつつ、確実に被捜索者を発見することができる技術があることが望ましい。そのような背景から捜索者や被捜索者がそれぞれ所持している無線端末装置を用いて、被捜索者を発見するための技術の開発が行われている。捜索者や被捜索者がそれぞれ所持している無線端末装置を用いて、被捜索者を発見するための技術としては、例えば、特許文献１のような技術が開示されている。
【０００４】
特許文献１は、被災者の状態を推測して救助要請を自動で行う被災者用通信機器を備える被災者検知システムに関するものである。特許文献１の被災者用通信機器は、周囲のアクセスポイントの検出数の変化を監視して、大きく減少した場合に災害が発生したと判断している。また、特許文献１の被災者用通信機器は、災害が発生したと判断した場合に、被災者用通信機器の操作状況を基に、救助が必要かを判断している。特許文献１の被災者用通信機器は、救助が必要と判断したときに救助を要請する無線信号を周囲に送信している。特許文献１は、このような構成とすることで、基地局等を介さずに不特定多数の人物を対象とした捜索を行うことができるとしている。
【先行技術文献】
【特許文献】
【０００５】
【特許文献１】特開２０１３−１８２４２９号公報
【発明の概要】
【発明が解決しようとする課題】
【０００６】
しかしながら、特許文献１の技術は次のような点で十分ではない。特許文献１の被災者用通信機器は、救助が必要と判断したときに、救助を要請する無線信号を周囲に送信している。救助が必要と判断したときには、特許文献１の被災者用通信機器は、周囲の救助者の存在の有無に関わらずに救助を要請する無線信号を送信する。そのため、特許文献１の被災者用通信機器は、救助を要請する無線信号を送信し続けることで早期に電源を失い、必要なときに救助の要請を行えない恐れがある。そのため、特許文献１の技術は、被捜索者側の無線端末装置を長時間稼動させつつ、被捜索者を発見するための技術としては十分ではない。
【０００７】
本発明は、上記の課題を解決するため、被捜索者側の無線端末装置を長時間稼動させつつ、より確実に被捜索側の無線端末装置を発見することができる無線端末装置を提供することを目的としている。
【課題を解決するための手段】
【０００８】
上記の課題を解決するため、本発明の無線端末装置は、無線通信手段と、識別子送信手段と、検知手段を備えている。無線通信手段は、無線信号を送受信する。識別子送信手段は、捜索時用としてあらかじめ設定された文字列を含む第１の識別子の情報を、無線通信手段を介して送信する。検知手段は、第１の識別子を受信した無線端末装置からの応答を基に、応答の発信元の無線端末装置の存在を検知する。
【０００９】
本発明の通信方法は、捜索時用としてあらかじめ設定された文字列を含む第１の無線端末装置の識別子の情報を送信する。本発明の通信方法は、第２の無線端末装置が受信した無線信号に、識別子の情報が含まれているとき、無線信号に対する応答を第２の無線端末装置から発信する。本発明の通信方法は、第２の無線端末装置から発信された応答を基に、第２の無線端末装置の存在を検知する。
【発明の効果】
【００１０】
本発明によると、被捜索者側の無線端末装置を長時間稼動させつつ、より確実に被捜索側の無線端末装置を発見することができる。
【図面の簡単な説明】
【００１１】
【図１】本発明の第１の実施形態の構成の概要を示す図である。
【図２】本発明の第２の実施形態の構成の概要を示す図である。
【図３】本発明の第２の実施形態の捜索側無線装置の構成を示す図である。
【図４】本発明の第２の実施形態の被捜索側無線装置の構成を示す図である。
【図５】本発明の第２の実施形態の捜索側無線装置の動作フローの概要を示す図である。
【図６】本発明の第２の実施形態の被捜索側無線装置の動作フローの概要を示す図である。
【図７】本発明の第３の実施形態の構成の概要を示す図である。
【図８】本発明の第３の実施形態の捜索側無線装置の構成を示す図である。
【図９】本発明の第３の実施形態の被捜索側無線装置の構成を示す図である。
【図１０】本発明の第３の実施形態の捜索側無線装置の動作フローの概要を示す図である。
【図１１】本発明の第３の実施形態の被捜索側無線装置の動作フローの概要を示す図である。
【図１２】本発明の第４の実施形態の構成の概要を示す図である。
【図１３】本発明の第５の実施形態の構成の概要を示す図である。
【図１４】本発明の第６の実施形態の構成の概要を示す図である。
【図１５】本発明の第７の実施形態の構成の概要を示す図である。
【図１６】本発明の第７の実施形態の情報管理サーバの構成を示す図である。
【図１７】本発明の第７の実施形態の情報管理テーブルの例を示す図である。
【図１８】本発明の第７の実施形態における画面表示の例を示す図である。
【図１９】本発明の第８の実施形態の構成の概要を示す図である。
【図２０】本発明の第９の実施形態の構成の概要を示す図である。
【図２１】本発明の第９の実施形態の情報管理サーバの構成を示す図である。
【図２２】本発明の第９の実施形態の管理テーブルの例を示す図である。
【図２３】本発明の第１０の実施形態の構成の概要を示す図である。
【発明を実施するための形態】
【００１２】
（第１の実施形態）
本発明の第１の実施形態について図を参照して詳細に説明する。図１は、本実施形態の無線端末装置の構成の概要を示したものである。本実施形態の通信端末装置は、無線通信手段１と、識別子送信手段２と、検知手段３を備えている。無線通信手段１は、無線信号を送受信する。識別子送信手段２は、捜索時用としてあらかじめ設定された文字列を含む第１の識別子の情報を、無線通信手段１を介して送信する。検知手段３は、第１の識別子を受信した無線端末装置からの応答を基に、応答の発信元の無線端末装置の存在を検知する。
【００１３】
本実施形態の無線端末装置は、識別子送信手段２において捜索時用としてあらかじめ設定された文字列を含む第１の識別子の情報を送信している。また、本実施形態の無線端末装置は、検知手段３において第１の識別子を受信した無線端末装置からの応答を基に、応答の発信元の無線端末装置の存在を検知している。このように、捜索時用の文字列を含む第１の識別子を送信し、応答を受信することで第１の識別子の送信範囲における無線端末装置の存在を検知することができる。また、応答の発信元の無線端末装置は、第１の識別子を受信したときのみ応答すればよいため、消費電力を抑制することができる。その結果、本実施形態の無線端末装置を用いることで被捜索者側の無線端末装置を長時間稼動させつつ、より確実に被捜索側の無線端末装置を発見することができる。
【００１４】
（第２の実施形態）
本発明の第２の実施形態について図を参照して詳細に説明する。図２は、本実施形態の捜索システムの構成の概要を示したものである。本実施形態の捜索システムは、捜索側無線装置１０と、被捜索側無線装置２０を備えている。捜索側無線装置１０は、捜索者用の無線端末装置である。また、被捜索側無線装置２０は、被捜索者用の無線端末装置である。
【００１５】
本実施形態の捜索システムは、捜索側無線装置１０と被捜索側無線装置２０によって通信システムを構成し、捜索側無線装置１０を所持する捜索者が被捜索側無線装置２０を所持する被捜索者を捜索するシステムである。以下の説明において捜索者とは、災害現場等で所在が不明な人を捜索する人のことをいう。また、被捜索者とは、所在が不明であり、捜索される側の人のことをいう。
【００１６】
捜索側無線装置１０の構成について説明する。図３は、本実施形態の捜索側無線装置１０の構成を示したものである。本実施形態の捜索側無線装置１０は、無線通信部１１と、制御部１２と、インターフェース部１３と、記憶部１４と、アクセスポイント機能部１５と、位置計測部１６を備えている。
【００１７】
無線通信部１１は、他の無線端末装置や無線基地局と無線通信を行う機能を有する。本実施形態の無線通信部１１は、携帯電話網等の無線基地局と無線通信を行う機能と、無線基地局との通信よりも近距離で無線通信を行う機能を有する。無線通信部１１は、携帯電話網等の無線基地局の通信を、例えば、ＬＴＥ（Long Term Evolution）規格やＬＴＥ−Ａｄｖａｎｃｅｄ規格に基づいて行う。また、無線通信部１１は、近距離、すなわち、自装置の周囲との無線通信を、例えば、ＩＥＥＥ８０２．１１規格に基づいた無線ＬＡＮ（Local Area Network）方式によって行う。無線通信部１１は、自装置の周囲との通信を行う機能のみを備えていてもよい。
【００１８】
無線通信部１１は、自装置の周囲との無線通信においてアクセスポイントとして動作する。アクセスポイントとしての動作は、アクセスポイント機能部１５の制御に基づいて行う。アクセスポイントは、通信ネットワークのエンドポイントにおいて他の通信装置からの接続要求を受け、通信ネットワークへの通信を仲介する機能のことをいう。本実施形態の捜索側無線装置１０は、アクセスポイントとして動作する場合であっても、通信ネットワークへの通信の仲介を行う機能を停止していてもよい。
【００１９】
アクセスポイントには、それぞれのアクセスポイントを識別するための識別子が割り振られている。ＩＥＥＥ８０２．１１規格に基づいた無線ＬＡＮ（Local Area Network）方式の場合には、アクセスポイントの識別子には、ＳＳＩＤ（Service Set Identifier）が用いられる。ＳＳＩＤは、英数半角文字で最大３２文字の識別子として設定される。また、本実施形態の無線通信部１１の機能は、第１の実施形態の無線通信手段１に相当する。
【００２０】
制御部１２は、捜索側無線装置１０の制御全般を行う機能を有する。制御部１２は、捜索を行う際に、アクセスポイント機能部１５にアクセスポイント機能を有効にする要求を行う。制御部１２は、記憶部１４に保存されている捜索時用の文字列を基に、捜索時に用いるアクセスポイントの識別子を生成する機能を有する。
【００２１】
制御部１２は、アクセスポイントの識別子を送信した際に、無線通信部１１で受信する無線信号を監視して被捜索側無線装置２０からの応答の有無を監視する。制御部１２は、捜索時用の文字列が含まれるアクセスポイントの識別子を送信した際に、被捜索側無線装置２０からの応答を検知すると、応答の送信元の被捜索側無線装置２０を発見したと判断する。制御部１２は、被捜索側無線装置２０を発見したと判断するとインターフェース部１３を介して被捜索側無線装置２０を発見したことを示す情報を出力する。また、制御部１２は、捜索側無線装置１０の使用されていない部位の動作を停止させ、使用する電力を抑制する制御を行ってもよい。また、本実施形態の制御部１２の被捜索側無線装置２０からの応答を検知し、応答の送信元の被捜索側無線装置２０を発見したと判断する機能は、第１の実施形態の検知手段３に相当する。
【００２２】
インターフェース部１３は、捜索者、すなわち、捜索側無線装置１０を所持している人からの入力を受け付ける機能と、捜索者に被捜索側無線装置２０を発見したことを示す情報を通知する機能を有する。インターフェース部１３は、キーボードやタッチパネル式の入力装置等を備えている。インターフェース部１３は、音声認識による入力機能を備えていてもよい。また、インターフェース部１３は、例えば、ディスプレイ装置や音声出力装置を備えている。インターフェース部１３は、外部装置から入力信号を受け付け、外部装置に映像信号や音声信号を出力する入出力端子として備えられていてもよい。また、インターフェース部１３は、光、音、塵、煙、衝撃またはその他の特異的な現象を検知する機能を有していてもよい。
【００２３】
記憶部１４は、捜索側無線装置１０の動作に必要なデータを保存する機能を有する。記憶部１４は、アクセスポイントの識別子の一部として用いる捜索時用の文字列の情報を保存している。捜索時用の文字列は、識別子の一部として含まれることで識別子を受信した被捜索側無線装置２０が、捜索者が所持している捜索側無線装置１０の存在を検知するための情報である。捜索時用の文字列の情報は、被捜索側無線装置２０と共有されている。
【００２４】
アクセスポイント機能部１５は、捜索側無線装置１０がアクセスポイントとして動作する際に、無線通信部１１における他の無線端末装置との無線通信を制御する。アクセスポイント機能部１５は、制御部１２の制御に基づいてアクセスポイントとしての動作の開始および停止を行う。
【００２５】
アクセスポイント機能部１５は、アクセスポイントとしての動作を開始する際に、制御部１２から送られてくるアクセスポイントの識別子の情報を基に、アクセスポイントとして動作する際の識別子を設定する。アクセスポイント機能部１５は、設定したアクセスポイントの識別子をブロードキャスト送信し、応答した被捜索側無線装置２０と通信を確立する。本実施形態のアクセスポイント機能部１５の機能は、第１の実施形態の識別子送信手段２に相当する。
【００２６】
位置計測部１６は、捜索側無線装置１０の位置を計測する。位置計測部１６は、例えば、ＧＰＳ（Global Positioning System）の電波に基づいて捜索側無線装置１０の現在地を特定する。位置計測部１６は、ＧＰＳを用いた計測結果と、加速度センサおよび磁気センサなどの他のセンサの計測結果や、無線基地局から送られてくる位置情報との組み合わせによって位置の計測精度を補正する構成であってもよい。
【００２７】
被捜索側無線装置２０の構成について説明する。図４は、被捜索側無線装置２０の構成を示したものである。本実施形態の被捜索側無線装置２０は、無線通信部２１と、制御部２２と、インターフェース部２３と、記憶部２４と、アクセスポイント機能部２５と、位置計測部２６を備えている。
【００２８】
無線通信部２１は、他の無線端末装置や無線基地局と無線通信を行う機能を有する。本実施形態の無線通信部２１は、携帯電話網等の無線基地局と無線通信を行う機能と、無線基地局との通信よりも近距離で無線通信を行う機能を有する。無線通信部２１は、携帯電話網等の無線基地局の通信を、例えば、ＬＴＥ規格やＬＴＥ−Ａｄｖａｎｃｅｄ規格に基づいて行う。また、無線通信部２１は、近距離、すなわち、自装置の周囲との無線通信を、例えば、ＩＥＥＥ８０２．１１規格に基づいた無線ＬＡＮ方式によって行う。無線通信部２１は、自装置の周囲との通信を行う機能のみを備えていてもよい。
【００２９】
無線通信部２１は、自装置の周囲との無線通信においてアクセスポイントとして動作する。アクセスポイントとしての動作は、アクセスポイント機能部２５の制御に基づいて行う。無線通信部２１は、アクセスポイントとして動作する他の無線通信装置の子機として動作する機能のみを備えていてもよい。
【００３０】
制御部２２は、被捜索側無線装置２０の制御全般を行う機能を有する。制御部２２は、捜索を行う際に、アクセスポイント機能部２５にアクセスポイント機能を有効にする要求を行う。また、制御部２２は、無線通信部２１において受信する無線信号を監視し、アクセスポイントの識別子の情報の受信を検知する。制御部２２は、アクセスポイントの識別子の情報の受信を検知すると、捜索時用の文字列の有無を判断する。制御部２２は、アクセスポイントの識別子に捜索時用の文字列が含まれていると判断すると、アクセスポイントを発見したことを示す応答信号を、アクセスポイントの識別子の送信元の捜索側無線装置１０に無線通信部２１を介して送信する。制御部２２は、応答信号に位置計測部２６から取得する自装置の位置情報を付加して送信する。また、制御部２２は、記憶部２４に保存されている被捜索時用の文字列を基に、被捜索時に用いるアクセスポイントの識別子を生成する機能を有する。
【００３１】
また、制御部２２は、無線通信部２１において受信信号に含まれるアクセスポイントの識別子の情報の有無を監視しているとき、必要な機能以外の動作を抑制するように被捜索側無線装置２０の各部位の制御を行ってもよい。制御部２２は、捜索時用のアクセスポイントの識別子の情報を検知するまでは、インターフェース部２３、アクセスポイント機能部２５および位置計測部２６の動作を停止させ、省電力モードとして被捜索側無線装置２０が動作するように制御を行う。そのような制御を行うことで、被捜索側無線装置２０を長時間稼動させることができるので、被捜索者が発見される可能性を高めることができる。
【００３２】
インターフェース部２３は、被捜索者、すなわち、被捜索側無線装置２０の所持者からの入力を受け付ける機能と、被捜索者に情報を通知する機能を有する。また、インターフェース部２３は、光、音、塵、煙、衝撃またはその他の通知方法によって、被捜索側無線装置２０の存在を他の無線端末装置や他者に伝達する機能を有する。インターフェース部２３は、捜索側無線装置１０のインターフェース部１３と同様のデバイスによって構成される。
【００３３】
記憶部２４は、被捜索側無線装置２０の動作に必要なデータを保存する機能を有する。記憶部２４は、捜索者が所持する捜索側無線装置１０の存在を判断する際に用いる捜索時用の文字列の情報を保存している。また、記憶部２４は、自装置がアクセスポイントとして動作する際に識別子の一部として用いる被捜索時用の文字列の情報を保存している。捜索時用の文字列および被捜索時用の文字列の情報は、捜索側無線装置１０と共有されている。
【００３４】
アクセスポイント機能部２５は、被捜索側無線装置２０がアクセスポイントとして動作する際に、無線通信部２１における他の無線端末装置との無線通信を制御する。アクセスポイント機能部２５は、制御部２２の制御に基づいてアクセスポイントとしての動作の開始および停止を行う。
【００３５】
アクセスポイント機能部２５は、被捜索時用のアクセスポイントとしての動作を開始する際に、制御部２２が設定した被捜索時用のアクセスポイントの識別子を、無線通信部２１を介してブロードキャストで送信する。
【００３６】
位置計測部２６は、被捜索側無線装置２０の位置を計測する。位置計測部２６は、例えば、ＧＰＳの電波に基づいて被捜索側無線装置２０の現在地を特定する。位置計測部２６は、ＧＰＳを用いた計測結果と、加速度センサおよび磁気センサなどの他のセンサの計測結果や、無線基地局から送られてくる位置情報との組み合わせによって位置の計測精度を補正する構成であってもよい。
【００３７】
本実施形態の捜索システムの動作について説明する。図５は、被捜索者を捜索する際における捜索側無線装置１０の動作フローを示したものである。また、図６は、被捜索者を捜索する際における被捜索側無線装置２０の動作フローを示したものである。
【００３８】
災害の発生時等に、捜索者は、捜索側無線装置１０を所持して、被捜索側無線装置２０を所持している被捜索者の捜索を行う。捜索側無線装置１０の制御部１２は、捜索開始の条件を検知すると捜索時の動作を開始する（ステップ１０１）。
【００３９】
制御部１２は、例えば、インターフェース部１３を介して捜索者が入力する捜索開始の情報を基に捜索開始を検知する。また、制御部１２は、インターフェース部１３を介して光、音、塵、煙、衝撃またはその他の現象を検知した際に捜索の開始を検知してもよい。また、制御部１２は、無線通信部１１を介して、捜索の開始を示す信号を受け取ったときに捜索の開始を検知してもよい。
【００４０】
捜索時の動作を開始すると、制御部１２は、位置計測部１６から捜索側無線装置１０の位置情報を取得する（ステップ１０２）。また、制御部１２は、記憶部１４から捜索時用の文字列の情報を読み出す。捜索時であることを示す文字情報を読み出すと、制御部１２は、位置情報と、捜索時であることを示す文字情報を基にアクセスポイントの識別子を設定する（ステップ１０３）。アクセスポイントの識別子を設定すると、制御部１２は、アクセスポイントの識別子の情報とアクセスポイントとしての動作の開始の要求をアクセスポイント機能部１５に送る。
【００４１】
捜索時用の文字列は、例えば、自治体や組織ごとにあらかじめ定められた情報として記憶部１４に保存されている。アクセスポイントの識別子は、捜索時用の文字列を基に生成される。例えば、制御部１２は、捜索時用の文字列と、位置計測部１６が計測した位置情報を基に、「ＨＥＬＰ＿１３９３９５４．５００＿３５３４２６．０００」のように「捜索時用の文字列＿東経＿北緯」で構成されるアクセスポイントの識別子を生成する。
【００４２】
また、位置計測部１６が計測した位置情報を基に生成されたアクセスポイントの識別子は、新たに計測される位置情報を基に定期的に変更されるようにしてもよい。また、アクセスポイントの識別子は、捜索者がインターフェース部１３を介して入力する情報や、無線通信部１１を介して他の装置から入力される情報を用いて生成されてもよい。また、捜索時用の文字列には、被捜索者の無線端末装置と情報が共有されている文字列であれば、記憶部１４に保存されている情報に代えて、インターフェース部１３や無線通信部１１を介して入力された情報が用いられてもよい。
【００４３】
アクセスポイント機能部１５は、動作の開始の要求を受け取ると、制御部１２から受け取ったアクセスポイントの識別子を、捜索側無線装置１０の識別子として設定する。受け取った識別子を捜索側無線装置１０の識別子として設定すると、アクセスポイント機能部１５は、アクセスポイントとしての機能を有効化する（ステップ１０４）。アクセスポイントとしての機能が有効化されると、アクセスポイント機能部１５は、捜索時用のアクセスアクセスポイントの識別子の情報を、無線通信部１１を介してブロードキャストで捜索側無線装置１０の周囲に送信する（ステップ１０５）。
【００４４】
被捜索者が所持している被捜索側無線装置２０の制御部２２は、無線通信部２１において受信する無線信号を監視する（ステップ２０１）。無線信号が捜索時用の文字列を含むアクセスポイントの識別子であるとき（ステップ２０２でＹｅｓ）、制御部２２は、捜索時用の識別子を有するアクセスポイントを発見したと判断する。制御部２２は、記憶部２４に保存されている捜索時用の文字列の情報を参照し、受信したアクセスポイントの識別子に捜索時用の文字列が含まれているかを確認することで、捜索時用のアクセスポイントの識別子であるかを判断する。
【００４５】
識別子に捜索時用の文字列が含まれていないとき（ステップ２０２でＮｏ）、制御部２２は、ステップ２０１において、受信する無線信号の監視を継続する。
【００４６】
捜索時用の識別子を有するアクセスポイントを発見したと判断すると、制御部２２は、位置計測部２６から被捜索側無線装置２０の位置情報を取得する（ステップ２０３）。位置情報を取得すると、制御部２２は、被捜索時用のアクセスポイントの識別子を生成する。
【００４７】
制御部２２は、被捜索時用の文字列の情報を記憶部２４から読み出し、位置情報と、被捜索時用の文字列を基に、被捜索時用のアクセスポイントの識別子を設定する（ステップ２０４）。アクセスポイントの識別子を設定すると、制御部２２は、アクセスポイントの識別子の情報とアクセスポイントとしての動作の開始の要求をアクセスポイント機能部２５に送る。
【００４８】
被捜索時用の文字列は、例えば、自治体や組織ごとにあらかじめ定められた情報として記憶部２４に保存されている。アクセスポイントの識別子は、被捜索時用の文字列を基に生成される。例えば、制御部２２は、被捜索時用の文字列と、位置計測部２６が計測した位置情報を基に、「ＨＥＬＰＭＥ＿１３９３９５４．５００＿３５３４２６．０００」のように「捜索時用の文字列＿東経＿北緯」で構成されるアクセスポイントの識別子を生成する。
【００４９】
また、位置計測部２６が計測した位置情報を基に生成されたアクセスポイントの識別子は、新たに計測される位置情報を基に定期的に変更されるようにしてもよい。また、アクセスポイントの識別子は、被捜索者がインターフェース部２３を介して入力する情報や、無線通信部２１を介して他の装置から入力される情報を用いて生成されてもよい。また、被捜索時用の文字列には、捜索者の無線端末装置と情報が共有されている文字列であれば、記憶部２４に保存されている情報に代えて、インターフェース部２３や無線通信部２１を介して入力された情報が用いられてもよい。
【００５０】
アクセスポイント機能部２５は、制御部２２からアクセスポイントとしての動作の開始の要求を受けると、アクセスポイント機能を有効化する（ステップ２０５）。アクセスポイント機能の有効化は、インターフェース部２３を介して被捜索者に確認して許可を得た後に行われてもよい。アクセスポイント機能部２５は、動作の開始の要求を受け取ると、制御部２２から受け取ったアクセスポイントの識別子を、被捜索側無線装置２０の識別子として設定し、アクセスポイント機能を有効化する。
【００５１】
アクセスポイント機能を有効化すると、制御部２２は、無線通信部２１を介して、アクセスポイントを発見したことを示す応答信号を捜索側無線装置１０に送信する（ステップ２０６）。制御部２２は、応答信号に被捜索側無線装置２０の位置情報を付加して送信する。
【００５２】
応答信号を送信すると、制御部２２は、インターフェース部２３を介して被捜索者にアクセスポイントを発見したことを通知する（ステップ２０７）。制御部２２は、画面表示、音、振動またはそれらの組み合わせなどによって被捜索者にアクセスポイントを発見したことを通知する。また、被捜索者にアクセスポイントを発見したことを通知する際に、大音量の音などで通知することで、捜索者にも認知されるように通知を行ってもよい。
【００５３】
被捜索者にアクセスポイントを発見したことを通知する際に、制御部２２は、発見したアクセスポイントの電波強度に応じて、被捜索者に通知する際の音、文字または光などを変化させてもよい。また、制御部２２は、アクセスポイントの識別子に対応する無線端末装置の位置をインターフェース部２３に地図とともに示してもよい。
【００５４】
ステップ１０５において、アクセスポイントの識別子の情報を送信すると、捜索側無線装置１０の制御部１２は、受信信号を監視して応答信号の有無を確認する。応答信号の受信を検知すると（ステップ１０６）、制御部１２は、インターフェース部１３のディスプレイ装置等に被捜索者を発見したことを示す情報と、被捜索者の位置の情報を出力して表示する（ステップ１０７）。
【００５５】
制御部１２は、インターフェース部１３を介した被捜索者を発見したことを示す通知を、音、光、振動、熱、画像、文字またはそれらの組み合わせによって行ってもよい。また、制御部１２は、被捜索者を発見したことを示す通知を、インターフェース部１３を介して被捜索者宛に行ってもよい。制御部１２は、無線通信部１１を介して被捜索者の無線端末装置に応答信号を受信したことを示す信号を行ってもよい。
【００５６】
被捜索者を発見したことを示す情報等を表示した際に、全ての捜索を完了しているとき（ステップ１０８でＹｅｓ）、捜索側無線装置１０は、捜索に関する動作を終了する。
【００５７】
ステップ１０６で応答信号を受信できないとき（ステップ１０６でＮｏ）、または、ステップ１０８で捜索を完了していないとき（ステップ１０８でＮｏ）、制御部１２は、位置計測部１６から捜索側無線装置１０の位置情報を取得する（ステップ１０９）。
【００５８】
また、制御部１２は、捜索時用の文字列の情報を記憶部１４から読み出す。捜索時であることを示す文字情報を読み出すと、制御部１２は、位置情報と、捜索時であることを示す文字情報を基にアクセスポイントの識別子を設定する（ステップ１１０）。制御部１２が、アクセスポイントの識別子を設定すると、アクセスポイント機能部１５は、新たに設定されたアクセスポイントの識別子を基に動作する。
【００５９】
アクセスポイントの識別子を設定すると、制御部１２は、設定した捜索時用の文字列を含むアクセスポイントの識別子を、無線通信部１１を介して送信し、ステップ１０５からの動作を行う。
【００６０】
捜索側無線装置１０が再度、アクセスポイントの識別子の情報を送信するタイミングは、あらかじめ定められた時間ごとでもよく、捜索側無線装置１０があらかじめ定められた距離以上移動したときとしてもよい。また、再度、アクセスポイントの識別子の情報を送信するタイミングは、捜索者がインターフェース部１３に送信の指示を入力したときとしてもよい。捜索側無線装置１０は、音、光、振動またはその他の所定の現象をインターフェース部１３において検知したときに、捜索時用のアクセスポイントの識別子を送信するようにしてもよい。
【００６１】
また、捜索側無線装置１０の制御部１２は、被捜索時用のアクセスポイントの識別子を受信したとき、被捜索者を発見したと判断してもよい。
【００６２】
被捜索側無線装置２０の制御部２２は、アクセスポイントを発見したときに、無線通信部２１を介してアクセスポイントの識別子の送信元の捜索側無線装置１０との通信を行ってもよい。また、アクセスポイントの識別子の送信元の捜索側無線装置１０との通信を行う際には、インターフェース部２３において通信可否の確認を行い、被捜索者が通信を許可した場合にのみ、通信を開始する構成としてもよい。
【００６３】
また、被捜索者の被捜索側無線装置２０は、アクセスポイント機能部２５を備えていなくてもよい。アクセスポイント機能部２５を備えていない構成とする場合には、被捜索側無線装置２０は、位置計測部２６および記憶部２４を備えていなくてもよい。そのような構成とすることで、被捜索側無線装置２０の小型化や省電力化を行うことができる。
【００６４】
本実施形態の捜索システムは、捜索側無線装置１０から捜索時用の文字列を含むアクセスポイントの識別子を無線送信することで、周囲に捜索者が所持している捜索側無線装置１０の存在を知らせることができる。また、被捜索者が所持している被捜索側無線装置２０は、捜索時用の文字列を含むアクセスポイントの識別子を含む無線信号を受信することで周囲に捜索者が所持している捜索側無線装置１０が存在していることを検知する。
【００６５】
また、被捜索側無線装置２０は、応答信号を送信することで捜索者が所持している捜索側無線装置１０に自装置の存在を知らせる。捜索側無線装置１０は、被捜索側無線装置２０からの応答信号を検知した際に、被捜索者が所持している被捜索側無線装置２０を発見したと判断して捜索者に通知する。
【００６６】
このような方法で、捜索者が所持している捜索側無線装置１０の存在を調べることで、被捜索者が所持している被捜索側無線装置２０は、アクセスポイントの有無を監視する最小限の処理のみ行うことで、捜索側無線装置１０の存在を検知することができる。そのため、被捜索者は、所持している被捜索側無線装置２０の電力消費を抑えながら、捜索者による捜索を待つことできる。電力消費を抑制しつつ捜索を待つことで、被捜索者は、捜索者が周囲に来た際にアクセスポイントを発見することで、見通しが悪い環境においても救助を要請することが可能になる。また、捜索側無線装置１０によるアクセスポイントの識別子のブロードキャスト送信と、被捜索側無線装置２０の応答信号の送信のみで互いの存在を検知できるため、被捜索者が多数、存在する状況でも、通信網の輻輳を防ぎながら捜索することができる。以上より、本実施形態の捜索システムは、被捜索者側の無線端末装置を長時間稼動させつつ、より確実に被捜索側の無線端末装置を発見することができる。
【００６７】
（第３の実施形態）
本発明の第３の実施形態について図を参照して説明する。図７は、本実施形態の捜索システムの構成の概要を示したものである。本実施形態の捜索システムは、捜索側無線装置３０と、被捜索側無線装置４０を備えている。捜索側無線装置３０は、捜索者用の無線端末装置である。また、被捜索側無線装置４０は、被捜索者用の無線端末装置である。
【００６８】
本実施形態の捜索システムは、第２の実施形態と同様に、捜索側無線装置３０と被捜索側無線装置４０によって通信システムを構成し、捜索側無線装置３０を所持する捜索者が被捜索側無線装置４０を所持する被捜索者を捜索するシステムである。第２の実施形態の捜索システムは、捜索側無線装置１０および被捜索側無線装置２０が位置計測部等を備えているが、本実施形態では、より簡略な構成の無線端末装置によって捜索者と被捜索者が互いの存在を検知することを特徴としている。
【００６９】
捜索側無線装置３０の構成について説明する。図８は、本実施形態の捜索側無線装置３０の構成の概要を示したものである。本実施形態の捜索側無線装置３０は、無線通信部３１と、制御部３２と、インターフェース部３３と、アクセスポイント機能部３４を備えている。本実施形態の無線通信部３１およびインターフェース部３３の構成と機能は、第２の実施形態の同名称の部位と同様である。
【００７０】
制御部３２は、捜索側無線装置３０の制御全般を行う機能を有する。制御部３２は、捜索を行う際に、アクセスポイント機能部３４にアクセスポイント機能を有効にする要求を行う。また、制御部３２は、アクセスポイントの識別子を送信した際に、被捜索側無線装置４０からの応答の有無を監視する。制御部３２は、捜索時用の文字列が含まれるアクセスポイントの識別子を送信した際に、被捜索側無線装置４０からの応答を検知すると、応答の送信元の被捜索側無線装置４０を発見したと判断する。制御部３２は、被捜索側無線装置４０を発見したと判断するとインターフェース部３３を介して被捜索側無線装置４０を発見したことを示す情報を出力する。
【００７１】
アクセスポイント機能部３４は、捜索側無線装置３０がアクセスポイントとして動作する際に、無線通信部３１における他の無線端末装置との無線通信を制御する。アクセスポイント機能部３４は、制御部３２の制御に基づいてアクセスポイントとしての動作の開始および停止を行う。
【００７２】
アクセスポイント機能部３４は、捜索時用のアクセスポイントとしての動作を開始する際に、捜索時用の文字列を含むアクセスポイントの識別子をブロードキャスト送信し、応答した被捜索側無線装置４０と通信を確立する。捜索時用の文字列を含むアクセスポイントの識別子は、あらかじめ設定されている。また、捜索時用の文字列の情報は、被捜索側無線装置４０と共有されている。
【００７３】
被捜索側無線装置４０の構成について説明する。図９は、本実施形態の被捜索側無線装置４０の構成を示したものである。本実施形態の被捜索側無線装置４０は、無線通信部４１と、制御部４２と、記憶部４３を備えている。本実施形態の無線通信部４１および記憶部４３の構成と機能は、第２の実施形態の同名称の部位と同様である。
【００７４】
制御部４２は、被捜索側無線装置４０の制御全般を行う機能を有する。制御部４２は、無線通信部４１において受信する無線信号を監視し、アクセスポイントの識別子の情報の受信を検知する。制御部４２は、アクセスポイントの識別子の情報の受信を検知すると、捜索時用の文字列の有無を判断する。制御部４２は、アクセスポイントの識別子に捜索時用の文字列が含まれていると判断すると、アクセスポイントを発見したことを示す応答信号を、アクセスポイントの識別子の送信元の捜索側無線装置３０に無線通信部４１を介して送信する。また、制御部４２は、記憶部４３に保存されている捜索時用の文字列を参照して、受信信号に捜索時用の文字列が含まれているかを判断する。
【００７５】
本実施形態の捜索システムの動作について説明する。図１０は、被捜索者を捜索する際における捜索側無線装置３０の動作フローを示したものである。また、図１１は、被捜索者を捜索する際における被捜索側無線装置４０の動作フローを示したものである。
【００７６】
災害の発生時等に、捜索者は、捜索側無線装置３０を所持して、被捜索側無線装置４０を所持している被捜索者の捜索を行う。捜索側無線装置３０の制御部３２は、捜索開始の条件を検知すると捜索時の動作を開始する（ステップ１２１）。
【００７７】
制御部３２は、例えば、インターフェース部３３を介して捜索者が入力する捜索開始の情報を基に捜索の開始を検知する。また、制御部３２は、インターフェース部３３を介して光、音、塵、煙、衝撃またはその他の現象を検知した際に捜索の開始を検知してもよい。また、制御部３２は、無線通信部３１を介して、捜索の開始を示す信号を受け取ったときに捜索の開始を検知してもよい。
【００７８】
捜索時の動作を開始すると、制御部３２は、アクセスポイントとしての動作の開始の要求をアクセスポイント機能部３４に送る。アクセスポイントとしての動作の開始の要求を受け取ると、アクセスポイント機能部３４は、捜索時用のアクセスポイントの識別子を用いてアクセスポイントとしての動作を開始し、アクセスポイントの機能を有効化する（ステップ１２２）。
【００７９】
アクセスポイントの識別子は、捜索時用の文字列を基にあらかじめ設定されている。捜索時用のアクセスポイントの識別子は、例えば、自治体や組織ごとにあらかじめ定められた捜索時用の文字列が含まれている。また、アクセスポイントの識別子は、捜索者がインターフェース部３３を介して入力する情報や、無線通信部３１を介して他の装置から入力される情報を用いて生成されてもよい。また、捜索時用の文字列には、被捜索者の無線端末装置と情報が共有されている文字列であれば、あらかじめ設定されている情報に代えて、インターフェース部３３や無線通信部３１を介して入力された情報が用いられてもよい。
【００８０】
アクセスポイントとしての動作を開始すると、アクセスポイント機能部３４は、アクセスポイントの識別子の情報を、無線通信部３１を介してブロードキャストで捜索側無線装置３０の周囲に送信する（ステップ１２３）。
【００８１】
被捜索者が所持している被捜索側無線装置４０の制御部４２は、無線通信部４１において受信する無線信号を監視する（ステップ２１１）。無線信号を受信すると、制御部４２は、アクセスポイントの識別子に捜索時用の文字列が含まれているか確認する。制御部４２は、記憶部４３に保存されている捜索時用の文字列の情報を参照し、受信したアクセスポイントの識別子に捜索時用の文字列が含まれているかを確認する。
【００８２】
識別子に捜索時用の文字列が含まれていないとき（ステップ２１２でＮｏ）、制御部４２は、ステップ２１１において、無線通信部４１が受信する無線信号の監視を行う。
【００８３】
識別子に捜索時用の文字列が含まれているとき（ステップ２１２でＹｅｓ）、制御部４２は、捜索時用の識別子を有するアクセスポイントを発見したと判断する。アクセスポイントを発見したと判断すると、制御部４２は、無線通信部４１を介して捜索側無線装置３０にアクセスポイントを発見したこと示す応答信号を送信する（ステップ２１３）。
【００８４】
ステップ１２３において、アクセスポイントの識別子の情報をブロードキャストで送信すると、捜索者が所持している捜索側無線装置３０の制御部３２は、被捜索者の無線端末装置からの応答信号の有無を監視する。
【００８５】
アクセスポイントを発見したことを示す応答信号を被捜索側無線装置４０から受信できないとき（ステップ１２４でＮｏ）、制御部３２は、アクセスポイント機能部３４を制御して、ステップ１２３において、再度、アクセスポイントの識別子の情報を送信する。再度、アクセスポイントの識別子の情報を送信するタイミングは、あらかじめ定められた時間ごとでもよく、捜索者がインターフェース部３３に送信の指示を入力したときとしてもよい。
【００８６】
アクセスポイントを発見したことを示す応答信号を受信したとき（ステップ１２４でＹｅｓ）、制御部３２は、インターフェース部３３を介して捜索者に被捜索側無線装置４０を発見したことを通知する（ステップ１２５）。制御部３２は、インターフェース部３３を介した捜索者への被捜索者の被捜索側無線装置４０を発見したことの通知を、音、光、振動、熱、画像、文字またはそれらの組み合わせによって行う。
【００８７】
被捜索者を発見したことを通知した際に、全ての捜索を完了しているとき（ステップ１２６でＹｅｓ）、捜索側無線装置３０は、捜索に関する動作を終了する。また、捜索を完了していないとき（ステップ１２６でＮｏ）、制御部３２は、アクセスポイント機能部３４を制御し、ステップ１２３において、再度、捜索時用のアクセスポイントの識別子を送信する。
【００８８】
本実施形態の捜索システムでは、被捜索者が所持する被捜索側無線装置４０から応答信号を受け取った捜索側無線装置３０は、捜索側無線装置３０を所持している捜索者に被捜索者を発見したことを示す通知を行っている。本実施形態の捜索システムでは、被捜索側無線装置４０を所持している被捜索者は、被捜索側無線装置４０の操作を行う必要はない。そのため、被捜索者が被捜索側無線装置４０の操作を行えないような状況下でも、捜索者は、被捜索者の存在を認識することができる。
【００８９】
また、被捜索者の操作を必要とせずに、捜索者の側で被捜索者の存在を認識することができるので、例えば、認知症などの高齢者や年少者が被捜索側無線装置４０を所持することで、捜索を行うことが容易になる。そのため、本実施形態の捜索システムでは、高齢者の徘徊や年少者の連れ去りが生じた際にも、効率よく捜索を行うことができる。また、動物や貨物などに被捜索側無線装置４０を取り付けることで、所在がわからなくなったときに捜索することが可能になる。
【００９０】
本実施形態の捜索システムは、ＧＰＳ等の位置計測部を必要としていないため、山間部、地下または崩落現場など電波が届きにくい場所においても、使用することができる。また、位置計測部等を必要としないことで、省電力化を行うことができるので捜索側無線装置３０および被捜索側無線装置４０の動作時間を長くすることができる。
【００９１】
（第４の実施形態）
本発明の第４の実施形態について図を参照して詳細に説明する。図１２は、本実施形態の捜索システムの構成の概要を示したものである。本実施形態の捜索システムは、複数の捜索側無線装置１０と、被捜索側無線装置２０を備えている。捜索側無線装置１０および被捜索側無線装置２０の構成と機能は、第２の実施形態の捜索側無線装置１０および被捜索側無線装置２０とそれぞれ同様である。
【００９２】
第２の実施形態では捜索者の無線端末装置である捜索側無線装置１０が１台のみの例について説明したが、本実施形態の捜索システムは、捜索者の無線端末装置が複数台であることを特徴とする。図１２は、１０人の捜索者がそれぞれ捜索側無線装置１０を１台ずつ所持し、合計１０台の捜索側無線装置１０が存在している場合を示している。
【００９３】
本実施形態の捜索システムでは、捜索側無線装置１０は、捜索時用の文字列と、捜索側無線装置１０をそれぞれ識別するための情報によって構成されるアクセスポイントの識別子を用いて動作する。例えば、各捜索側無線装置１０には、「（捜索時用の文字列＿００００１」から「（捜索時用の文字列＿０００１０」のようなアクセスポイントの識別子が割り当てられる。また、捜索側無線装置１０のアクセスポイントの識別子は、共通の識別子が用いられていてもよい。
【００９４】
本実施形態の捜索システムの捜索側無線装置１０および被捜索側無線装置２０は、第２の実施形態とそれぞれ同様に動作する。
【００９５】
本実施形態の捜索システムは、複数の捜索者がそれぞれ所持している捜索側無線装置１０がアクセスポイントとしてカバーできる無線通信範囲を同時に捜索することができる。また、捜索側無線装置１０のアクセスポイントとしてカバーしている範囲が重複するように捜索者を配置することで、捜索範囲の抜けが生じないように捜索網を設定することができる。また、図１２のように捜索者を配置して、円の外側から内側に捜索者が移動しながら捜索を行うことで、捜索範囲のどこに被捜索者が存在していても、発見することが可能になる。
【００９６】
また、本実施形態の捜索システムにおいて、捜索側無線装置１０および被捜索側無線装置２０に代えて、第３の実施形態の捜索側無線装置３０および被捜索側無線装置４０を用いてもよい。
【００９７】
本実施形態の捜索システムは、複数の捜索側無線装置１０を用いて捜索を行うので、被捜索者が所持する被捜索側無線装置２０をより確実に発見することができる。
【００９８】
（第５の実施形態）
本発明の第５の実施形態について図を参照して詳細に説明する。図１３は、本実施形態の捜索システムの構成の概要を示したものである。本実施形態の捜索システムは、複数の捜索側無線装置１０と、被捜索側無線装置２０を備えている。本実施形態の捜索側無線装置１０および被捜索側無線装置２０の構成と機能は、第２の実施形態の捜索側無線装置１０および被捜索側無線装置２０とそれぞれ同様である。捜索側の無線端末装置には、第２の実施形態の捜索側無線装置１０に代えて、第３の実施形態の捜索側無線装置３０と同様の構成のものを用いてもよい。また、被捜索側の無線端末装置には、第２の実施形態の被捜索側無線装置２０に代えて、第３の実施形態の被捜索側無線装置４０と同様の構成のものを用いてもよい。
【００９９】
第４の実施形態では、捜索側無線装置１０は、捜索者とともに移動しているが、本実施形態の捜索システムは、一部の捜索側無線装置１０の場所を固定することを特徴とする。
【０１００】
本実施形態の捜索システムでは、捜索が完了した範囲をカバーできるように無人の捜索側無線装置１０が配置される。捜索者は、それぞれ捜索側無線装置１０を所持しながら捜索が行われていない範囲の捜索を継続する。また、無人の捜索側無線装置１０は、捜索が完了して捜索者が不在となる地点において捜索時用のアクセスポイントとしての動作を継続する。そのため、本実施形態の捜索システムは、無人の捜索側無線装置１０がカバーする捜索者による捜索が完了した範囲と、捜索者が捜索側無線装置１０を所持しながら捜索を行っている範囲で同時に捜索を行うことができる。
【０１０１】
無人の捜索側無線装置１０は、被捜索者の所持する被捜索側無線装置２０から信号を受信すると、捜索者に通知する。捜索者への通知は、音の放出や、捜索者が保持している捜索側無線装置１０に被捜索者からの信号を受信したことを示す無線信号を送信することで行われる。また、被捜索者の所持する被捜索側無線装置２０から信号を受信したことの通知は、通信回線を介して捜索側無線装置１０以外の通信装置に送信されてもよい。例えば、被捜索者の所持する被捜索側無線装置２０から信号を受信したことの通知は、各自治体の防災行政無線や防災情報システムに通知されるようしてもよい。
【０１０２】
本実施形態の捜索システムでは、捜索者と被捜索者が行き違いになった場合でも、一度、捜索が行われた範囲ならば、被捜索者の所持する被捜索側無線装置２０は、無人の捜索側無線装置１０からアクセスポイントの識別子の情報を受信することができる。そのため、捜索者が他の範囲を捜索している場合にも、被捜索者を発見することが可能になる。このような構成の捜索システムを用いることで、広大な捜索範囲で捜索する場合にも、捜索を効率的に行うことができる。また、悪天候や夜間など捜索が行われていないときに、一度、捜索した場所において無人の捜索側無線装置１０による捜索を継続することができる。
【０１０３】
（第６の実施形態）
本発明の第６の実施形態について図を参照して詳細に説明する。図１４は、本実施形態の捜索システムの構成の概要を示したものである。本実施形態の捜索システムは、捜索側無線装置５０と、被捜索側無線装置２０を備えている。
【０１０４】
第５の実施形態の捜索システムでは、一度、捜索が行われた範囲に無人の捜索側無線装置１０が配置されたが、本実施形態の捜索システムは、無人の捜索側無線装置５０が常設されていることを特徴とする。
【０１０５】
捜索側無線装置５０には、第２の実施形態の捜索側無線装置１０と同様の構成のものを用いることができる。捜索側無線装置５０は、固定して用いられるので位置計測部を備えていなくてもよい。本実施形態の被捜索側無線装置２０の構成と機能は、第２の実施形態の被捜索側無線装置２０と同様である。また、被捜索側の無線端末装置には、第２の実施形態の被捜索側無線装置２０に代えて、第３の実施形態の被捜索側無線装置４０と同様の構成のものを用いてもよい。
【０１０６】
本実施形態の捜索システムにおいて、無人の捜索側無線装置５０は、例えば、管理されている領域の入り口等に設置される。図１４は、実線で囲まれた管理されている領域の入り口に捜索側無線装置５０が設置されている例を示している。管理されている領域とは、例えば、スキー場などの天然の環境を用いたレジャー施設、入山管理された山、テーマパークや競技場、広域施設または大規模な工場など人の出入りを管理する必要のある領域のことをいう。
【０１０７】
そのような管理された領域に入場する入場者は、被捜索側無線装置２０のような構成を有する無線端末装置を所持する。入場者が所持する無線端末装置は、スマートフォンなどの無線端末装置に、被捜索者の端末装置として動作するアプリケーションソフトがインストールされたものであってもよい。
【０１０８】
捜索側無線装置５０は、入り口等でアクセスポイントの識別子をブロードキャストで送信する。被捜索側無線装置２０は、アクセスポイントの識別子を受信すると、アクセスポイントを発見したことを示す応答信号を捜索側無線装置５０に送信する。
【０１０９】
捜索側無線装置５０は、応答信号を受信するとあらかじめ設定された管理システム等の送信先に応答信号を受信した被捜索側無線装置２０の情報を送信する。被捜索側無線装置２０の情報を受け取った管理システム等は、管理された領域への入場者として被捜索側無線装置２０の情報を保存する。
【０１１０】
捜索側無線装置５０が捜索時用のアクセスポイントの識別子をブロードキャストで送信すると、無線電波が届く範囲に存在する被捜索側無線装置２０は、アクセスポイントを発見したことを示す応答信号を捜索側無線装置５０に送信する。捜索側無線装置５０は、アクセスポイントを発見したことを示す応答信号を受け取ると、応答信号の送信元の被捜索側無線装置２０の情報を管理システム等に送信する。
【０１１１】
管理された領域から退場が必要な場合に、捜索者が所持する第２の実施形態と同様の捜索側無線装置１０または管理された領域内に設置された無人の捜索側無線装置５０のいずれか、または、組み合わせによって、被捜索側無線装置２０の所持者の捜索が行われる。無人の捜索側無線装置５０によって捜索を行う場合には、あらかじめ設定された時刻をすぎると、アクセスポイントとしての動作を開始する構成としてもよい。
【０１１２】
管理システム等は、捜索側無線装置５０から送られてくる情報を基に、管理された領域に残留している被捜索側無線装置２０の所持者の存在と、おおよその位置を認識する。また、応答信号にＧＰＳ等から検出した位置情報が含まれている場合には、管理システム等は、被捜索側無線装置２０の所持者のより詳細な位置を特定することができる。
【０１１３】
また、入場者の氏名や入場用ＩＤなど入場者を特定できる情報と、被捜索側無線装置２０の識別子の情報を互いに関連づけて、管理されている領域内に立ち入った人物や残留している人物を特定する構成であってもよい。
【０１１４】
本実施形態の捜索システムを用いることで、管理された領域に存在する被捜索者の数を認識し、必要に応じて被捜索者の捜索を行うことができる。
【０１１５】
（第７の実施形態）
本発明の第７の実施形態について図を参照して詳細に説明する。図１５は、本実施形態の捜索システムの構成の概要を示したものである。本実施形態の捜索システムは、捜索側無線装置１０と、被捜索側無線装置２０と、情報管理サーバ６０を備えている。また、情報管理サーバ６０は、通信ネットワーク７０を介して他の情報処理装置等と接続されている。本実施形態の捜索システムは、情報管理サーバ６０によって捜索状況のデータを集中管理することを特徴とする。
【０１１６】
本実施形態の捜索側無線装置１０および被捜索側無線装置２０の構成と機能は、第２の実施形態の捜索側無線装置１０および被捜索側無線装置２０とそれぞれ同様である。
【０１１７】
情報管理サーバ６０の構成について説明する。図１６は、本実施形態の情報管理サーバ６０の構成を示したものである。本実施形態の情報管理サーバ６０は、通信部６１と、制御部６２と、データ管理部６３と、インターフェース部６４を備えている。
【０１１８】
通信部６１は、捜索側無線装置１０と無線通信を行う。通信部６１は、無線通信網を介して捜索側無線装置１０と通信を行ってもよい。また、通信部６１は、通信ネットワーク７０を介して他の情報処理装置等と通信を行う。
【０１１９】
制御部６２は、捜索側無線装置１０および被捜索側無線装置２０の情報と、各無線端末装置を所持している人の情報を処理する。制御部６２は、捜索側無線装置１０および被捜索側無線装置２０の情報と、各無線端末装置を所持している人の情報をデータ管理部６３に保存する。また、制御部６２は、被捜索者の発見日時の情報をデータ管理部６３に管理テーブルとして保存する。
【０１２０】
制御部６２は、例えば、ＣＰＵ（Central Processing Unit）、メモリおよび各処理を実行するコンピュータプログラムによって構成されている。
【０１２１】
データ管理部６３は、捜索側無線装置１０および被捜索側無線装置２０の情報と、各無線装置を所持している人の情報を保存する機能を有する。また、データ管理部６３は、被捜索者の発見日時の情報を示す管理テーブルを保存している。
【０１２２】
インターフェース部６４は、捜索者や管理者等からの情報管理サーバ６０へのデータの入力を受け付け、必要な情報を捜索者や管理者等に通知する。
【０１２３】
通信ネットワーク７０は、インターネット、専用の通信回線またはそれらの組み合わせによって構成されている。
【０１２４】
本実施形態の捜索システムの動作について説明する。捜索者の捜索側無線装置１０は、第２の実施形態と同様の方法で、被捜索側無線装置２０を捜索する。被捜索側無線装置２０は、捜索側無線装置１０のアクセスポイントの識別子の情報を受信したとき、アクセスポイントを発見したことを示す情報と、自装置の位置情報を応答信号として捜索側無線装置１０に送信する。捜索側無線装置１０は、被捜索側無線装置２０から応答信号を受け取ると、情報管理サーバ６０に被捜索側無線装置２０の位置情報と、応答信号の受信日時の情報を送る。また、捜索側無線装置１０は、自装置の位置情報を情報管理サーバ６０に送る。
【０１２５】
情報管理サーバ６０の制御部６２は、通信部６１を介して被捜索側無線装置２０の位置情報等を受信すると、受け取った情報をデータ管理部６３に保存する。情報管理サーバ６０は、捜索側無線装置１０から受信した情報をデータ管理部６３に管理テーブルとして保存することで、各捜索者が所持する捜索側無線装置１０から受信した情報を蓄積する。
【０１２６】
図１７は、管理テーブルの例を示したものである。図１７の管理テーブルは、発見日時、被捜索者の位置（緯度）、被捜索者の位置（経度）および氏名の項目等によって構成されている。発見日時は、捜索側無線装置１０が被捜索側無線装置２０の応答信号を受信した日時である。被捜索者の位置（緯度）および被捜索者の位置（経度）は、応答信号に含まれる被捜索側無線装置２０の位置情報である。応答信号に被捜索側無線装置２０の位置情報が含まれていないときは、捜索側無線装置１０の位置を被捜索者の位置とみなしてもよい。また、氏名は、被捜索側無線装置２０を所持している人の情報である。これらの情報は、捜索側無線装置１０の識別子、捜索側無線装置１０を所持している人物および捜索側無線装置１０の位置情報とさらに関連づけられていてもよい。
【０１２７】
制御部６２は、データ管理部６３に受け取ったデータを保存すると、領域ごとの被捜索者数や捜索状況の統計データを生成する。また、制御部６２は、生成した統計データを基に、必要な捜索体制や被捜索者の分布予測を予測する。必要な捜索体制や被捜索者の分布予測を予測すると、制御部６２は、インターフェース部６４を介して管理者等に捜索状況、被捜索者の発見場所などの統計データおよび捜索体制案や被捜索者の分布予測の情報を通知する。
【０１２８】
図１８は、インターフェース部６４のディスプレイ装置に表示される情報の例を示したものである。図１８では、捜索領域ごとの捜索側無線装置１０の数が「捜索」として表示されている。また、図１８では、捜索領域ごとに発見された被捜索側無線装置２０の数が「被捜索」として表示されている。
【０１２９】
インターフェース部６４から通知を受けた捜索の指揮者等は、捜索状況の情報、統計データおよび予測データを基に重点的に捜索する場所を絞り込み、各避難所や捜索場所において必要な物資の手配および捜索体制の変更や捜索者への指示を行うことができる。
【０１３０】
また、情報管理サーバ６０からの指示に基づいて、捜索者が所持する捜索側無線装置１０の捜索時用のアクセスポイントの識別子や、各無線端末装置の記憶部に保存されている文字列の情報およびその他の設定が更新されるようにしてもよい。さらに、特に救助の人手が必要な場所について、自動または手動でインターネット上のＳＮＳ（Social Networking Service）、災害掲示板または市町村防災同報無線の拡声放送設備に送信して、捜索者以外の一般市民への周知を行ってもよい。そのような周知を行うことで、一般市民による効率的な救助活動を自治体や組織が主導することができる。
【０１３１】
また、本実施形態の捜索システムは、競技施設やテーマパーク等の警備における管理システムに用いることもできる。そのような用途では、例えば、入場者の氏名や入場用ＩＤ等の入場者を特定できる情報と、被捜索側無線装置２０の端末ＩＤとをあらかじめ紐付けた情報を、管理データとして有することで管理が行われる。被捜索側無線装置２０から捜索側無線装置１０に送られる応答信号に、被捜索側無線装置２０の端末ＩＤ情報が含まれるように設定される。そのような構成とすることで、競技施設やテーマパーク等において、迷子やその保護者、その他の捜索対象となった個人を、周囲に知られること無くプライバシーを保護して捜索することが可能となる。
【０１３２】
（第８の実施形態）
本発明の第８の実施形態について図を参照して詳細に説明する。図１９は、本実施形態の捜索システムの構成の概要を示したものである。本実施形態の捜索システムは、複数の捜索側無線装置８０と、被捜索側無線装置２０と、情報管理サーバ６０を備えている。図１９は、洞窟内に存在する被捜索側無線装置２０を捜索する場合の例を模式的に示したものである。
【０１３３】
第７の実施形態では、捜索側無線装置１０がそれぞれ情報管理サーバと通信を行っているが、本実施形態の捜索システムは、捜索側無線装置８０が互いに無線信号を中継することで情報管理サーバと通信を行うことを特徴としている。
【０１３４】
本実施形態の被捜索側無線装置２０の構成と機能は、第２の実施形態の被捜索側無線装置２０と同様である。また、本実施形態の情報管理サーバ６０の構成と機能は、第７の実施形態の情報管理サーバ６０と同様である。また、被捜索側の無線装置は、第２の実施形態の被捜索側無線装置２０に代えて、第３の実施形態の被捜索側無線装置４０と同様の構成のものを用いてもよい。
【０１３５】
捜索側無線装置８０は、第２の実施形態の捜索側無線装置１０と同様の機能に加え、捜索側無線装置８０間で通信の中継を行う機能を有する。捜索側無線装置８０は、例えば、ＩＥＥＥ８０２.１１規格に基づいたアドホックモードによって通信の中継を行う。
【０１３６】
本実施形態の捜索システムの動作について説明する。少なくとも１台の捜索側無線装置８０は、直接、または、無線基地局を介して情報管理サーバ６０と通信可能な位置に配置される。情報管理サーバ６０と通信可能な位置に配置される捜索側無線装置８０は、無人の状態で配置されてもよい。
【０１３７】
洞窟内の捜索者は、それぞれが所持している捜索側無線装置８０間で直接、通信できる範囲に広がり、被捜索者の捜索を行う。捜索中は、一時的に捜索者の捜索側無線装置８０間で直接、通信できない距離まで離れてもよい。また、通信の中継を行うため途中に無人の捜索側無線装置８０を配置してもよい。
【０１３８】
捜索時用のアクセスポイントの識別子は、洞窟入り口から各捜索者の捜索側無線装置８０までの距離または順番に基づいて設定される。アクセスポイントの識別子は、捜索者によって捜索側無線装置８０に入力されてもよく、また、情報管理サーバ６０が捜索側無線装置８０の位置に応じて割り当てた情報を用いて設定されてもよい。
【０１３９】
情報管理サーバ６０から送信された信号は、情報管理サーバ６０と通信可能な位置に配置された捜索側無線装置８０が初めに受信し、捜索側無線装置８０間で無線信号を順に中継することで最も遠い捜索側無線装置８０まで伝達される。このような方法で通信を行うことで、各捜索者が所持する捜索側無線装置８０は、情報管理サーバ６０からの指示を受け付けることができる。
【０１４０】
捜索範囲内にある被捜索者が所持している被捜索側無線装置２０が、いずれかの捜索側無線装置８０をアクセスポイントとして発見して無線による応答信号を送信すると、発見された捜索側無線装置８０は、応答信号を受信する。
【０１４１】
捜索側無線装置８０は、被捜索側無線装置２０からの応答を、応答信号に代えて被捜索者の被捜索側無線装置２０からの音や光の放出や、被捜索者自身の動作を検知することで認識してもよい。
【０１４２】
応答信号を受信することで被捜索側無線装置２０を発見した捜索側無線装置８０は、自装置のアクセスポイントの識別子に含まれている文字列情報と、被捜索者を発見した情報を他の捜索側無線装置８０を中継して情報管理サーバ６０に送信する。被捜索側無線装置２０を発見した捜索側無線装置８０は、アクセスポイントの識別子に含まれている文字列情報として、識別子のうち捜索側無線装置８０の位置を示す部分の文字列情報を送信する。被捜索側無線装置２０を発見したことを示す情報の送信は、自動で行われてもよく、また、被捜索側無線装置２０を発見した捜索側無線装置８０を所持している捜索者の操作に基づいて行われてもよい。
【０１４３】
情報管理サーバ６０は、被捜索側無線装置２０を発見したことを示す情報を受け取ると、受け取った情報をデータ管理部６３に保存して管理する。また、情報管理サーバ６０は、被捜索側無線装置２０を発見したことを示す情報を、インターフェース部６４を介して捜索者や管理者等に通知する。
【０１４４】
本実施形態の捜索システムは、洞窟内における捜索の他に、地下等、通信キャリアや自営の通信網の電波およびＧＰＳ電波の届かない場所での捜索に用いることができる。また、本実施形態の捜索システムは、競技施設やテーマパーク、救助活動中の場所において、通信キャリアや自営の通信網の輻輳を防ぎながら被捜索者の捜索を行う場合にも用いることができる。本実施形態の捜索システムは、捜索側無線装置８０間で無線信号の中継を行うので、電波が直接、届かないような場所で捜索を行った場合にも、情報管理サーバ６０で捜索に関する情報を集中的に管理することができる。
【０１４５】
（第９の実施形態）
本発明の第９の実施形態について図を参照して詳細に説明する。図２０は、本実施形態の捜索システムの構成の概要を示したものである。本実施形態の捜索システムは、捜索側無線装置１０と、被捜索側無線装置２０と、情報管理サーバ９０を備えている。捜索側無線装置１０および被捜索側無線装置２０は、それぞれ複数、備えられている。
【０１４６】
本実施形態の捜索システムは、被捜索者となる可能性のある人の情報がシステムユーザ情報としてあらかじめ情報管理サーバ９０に登録されていることを特徴とする。
【０１４７】
本実施形態の捜索側無線装置１０および被捜索側無線装置２０の構成と機能は、第２の実施形態の捜索側無線装置１０および被捜索側無線装置２０とそれぞれ同様である。捜索側無線装置１０は、直接、または、無線基地局等を介して情報管理サーバ９０と通信を行う。捜索側の無線装置は、第２の実施形態の捜索側無線装置１０に代えて、第３の実施形態の捜索側無線装置３０と同様の構成のものを用いてもよい。また、被捜索側の無線装置は、第２の実施形態の被捜索側無線装置２０に代えて、第３の実施形態の被捜索側無線装置４０と同様の構成のものを用いてもよい。
【０１４８】
情報管理サーバ９０の構成について説明する。図２１は、本実施形態の情報管理サーバ９０の構成を示したものである。情報管理サーバ９０は、通信部９１と、制御部９２と、データ管理部９３と、ユーザデータ管理部９４と、インターフェース部９５を備えている。通信部９１、データ管理部９３およびインターフェース部９５の構成と機能は、第７の実施形態の同名称の部位とそれぞれ同様である。
【０１４９】
制御部９２は、第７の実施形態の制御部６２と同様の機能を有する。また、制御部９２は、システムユーザの情報の管理を行う機能を有する。本実施形態では、情報管理サーバ９０に情報が登録された被捜索者となる可能性のある人をシステムユーザとよぶ。システムユーザ情報は、例えば、管理ＩＤ、被捜索者となる可能性のある人の氏名、性別、年齢、住所およびその他の個人情報が関連づけられた情報によって構成されている。システムユーザ情報には、かかりつけ医の情報などが含まれていてもよい。管理ＩＤは、システムユーザが有する無線端末装置ごとに割り当てられる。
【０１５０】
ユーザデータ管理部９４は、システムユーザ情報を保存する機能を有する。図２２は、システムユーザ情報を管理する管理テーブルの例を示したものである。図２２に示すようにシステムユーザの管理テーブルは、管理ＩＤ、氏名、性別、年齢、住所、かかりつけ医および救助された際などに必要なその他の情報が関連づけられて構成されている。管理ＩＤは、被捜索者ごとに割り当てられている。被捜索者が複数の被捜索側無線装置２０を所有している場合には、被捜索側無線装置２０ごとに管理ＩＤが割り当てられていてもよい。
【０１５１】
本実施形態の捜索システムは、第７の実施形態の捜索システムと同様に被捜索者の捜索および管理が行われる。災害、事故または事件が発生してシステムユーザが被捜索者となると、情報管理サーバ９０の制御部９２は、データ管理部９３を参照して管理ＩＤに対応する被捜索側無線装置２０が発見されているかを確認する。被捜索側無線装置２０が発見されているとき、制御部９２は、システムユーザ情報に発見日時の情報を追加する。また、制御部９２は、通信部９１またはインターフェース部９５を介して、発見されているシステムユーザの情報を管理者等に通知する。システムユーザに対応する管理ＩＤに対応する被捜索側無線装置２０が発見されていないとき、制御部９２は、管理ＩＤを捜索側無線装置１０または他の通信端末装置に送信し、被捜索者の存在を伝達する。制御部９２は、インターフェース部９５を介して、被捜索者の存在を管理者等に伝達してもよい。
【０１５２】
本実施形態の捜索システムは、被捜索者となったシステムユーザの被捜索側無線装置２０に割り当てた管理ＩＤを基に捜索することで、被捜索者を効率的に捜索することができる。また、被捜索者となったシステムユーザを公開捜索しなければならない場合、氏名の代わりに被捜索者となったシステムユーザの無線端末装置に割り当てた管理ＩＤのみ公開すればよい。そのため、被捜索者の氏名や年齢などの個人情報を公開する必要がないため、プライバシーを保護しながら被捜索者の捜索を行うことができる。誘拐により被捜索者となった場合には、誘拐犯に被捜索者を捜索していることを気づかれることなく、被捜索者を捜索することができる。また、第５の実施形態や第６の実施形態で示した無人の捜索側無線装置と情報管理サーバを接続して用いることで、捜索範囲が日本全国などにように広域であっても、場所や時間を問わずに被捜索者を捜索することができる。
【０１５３】
本実施形態の捜索システムは、大規模災害が発生したときに用いることができる。例えば、捜索者が被捜索者を発見した時点で、被捜索者が所持している被捜索側無線装置２０に割り当てた管理ＩＤを情報管理サーバ９０に照会することで、発見された被捜索者の個人情報やかかりつけ医などの情報を確認することができる。情報管理サーバ９０から取得した情報を基に、被捜索者を搬入する病院の選定や、誘導する避難先の選定を迅速に行うことが可能となる。また、発見した被捜索者の意識が無い場合にも被捜索者を特定することができ、家族や災害掲示板への安否情報の提供を速やかに行うことができる。また、発見した被捜索者の性別や年齢を基に、誘導先となる避難所ごとの救援物資の迅速かつ適切に割り当てることもできる。
【０１５４】
本実施形態の捜索システムを用いることで、捜索計画の立案や発見した被捜索者への適切な処置をすばやく行うことができる。
【０１５５】
（第１０の実施形態）
本発明の第１０の実施形態について詳細に説明する。図２３は、本実施形態の捜索システムの構成の概要を示したものである。本実施形態の捜索システムは、捜索側無線装置１００と、被捜索側無線装置１１０を備えている。第２乃至第９の実施形態では、捜索側無線装置は、捜索時用の識別子を用いてアクセスポイントとしての動作を行っている。本実施形態の捜索システムは、通常のアクセスポイント機能を有する捜索側無線装置１００を介して被捜索側無線装置１１０が無線通信を行うことを特徴とする。
【０１５６】
捜索側無線装置１００には、第２の実施形態の捜索側無線装置１０または第３の実施形態の捜索側無線装置３０と同様の構成のものを用いることができる。捜索側無線装置１００は、通常のアクセスポイントとして動作すればよいため、通常のアクセスポイントの識別子を送信する機能を有していればよく、捜索時用のアクセスポイントの識別子を送信する機能を有していなくてもよい。また、捜索側無線装置１００は、固定回線を介して他の通信装置との通信を行う構成であってもよい。また、被捜索側無線装置１１０には、第２の実施形態の被捜索側無線装置２０または第３の実施形態の被捜索側無線装置４０と同様の構成のものを用いることができる。
【０１５７】
本実施形態の捜索システムの動作について説明する。被捜索側無線装置１１０は、受信する無線信号を監視し、アクセスポイントの識別子の情報が含まれているかを確認する。アクセスポイントの識別子の情報が含まれているとき、被捜索側無線装置１１０は、アクセスポイントを発見したことを示す情報を周囲に伝達する。
【０１５８】
アクセスポイントを発見したときに、被捜索側無線装置１１０は、光や音によって存在を外部に伝達する。被捜索側無線装置１１０は、無線通信によって捜索側無線装置１００を介して管理システム等にアクセスポイントを発見したことを示す情報を送信してもよい。
【０１５９】
また、被捜索側無線装置１１０は、アクセスポイントの識別子を発見したときに、被捜索時用の識別子を用いてアクセスポイント機能を有効にしてもよい。被捜索時用のアクセスポイント機能を有効にすると、被捜索側無線装置１１０は、捜索時用のアクセスポイントの識別子を周囲に送信し、捜索者が所持する捜索側無線装置１００によって、自装置の捜索が行えるようする。そのような構成とした場合には、捜索者は、被捜索側無線装置１１０が送信する電波の強度を基に、被捜索側無線装置１１０の位置を推測することもできる。
【０１６０】
本実施形態の被捜索側無線装置１１０は、例えば、貨物や逃亡の恐れのある人物に取り付けておき、特定の位置または捜索側無線装置１００から離れた場合に捜索を行う用途に用いることができる。そのような場合には、逃亡する恐れのある人物の身体等に被捜索側無線装置１１０をあらかじめ取り付けておき、基準から一定距離以上離れた際にアクセスポイントとしての機能が有効になるようにする。逃亡した人物等が森林や海など周囲に人がおらず、アクセスポイントが１つも見つからない場所にいるときは、被捜索側無線装置１１０は周囲に存在を周知する動作を行わず消費電力を抑える。逃亡した人物が街や民家、商業施設や駅、空港等の公共施設の付近等、周囲に人がいて何らかのアクセスポイントが存在している場所に侵入した場合、その場所を離れるまで被捜索側無線装置１１０は周囲に存在を周知する動作を継続する。
【０１６１】
また、消費電力抑制のため、被捜索側無線装置１１０が周囲に存在を周知する動作は連続ではなく、間隔を空けて繰り返して行われてもよい。そのように周囲に周知することで、捜索者は被捜索側無線装置１１０から発せられる光や音の向きや、被捜索時用の文字列を識別子とするアクセスポイントの電波強度を頼りに、被捜索者を捜索することができる。アクセスポイントの電波は目視できないため、逃亡した人物が、アクセスポイントが１つもない場所を選んで逃亡することは非常に困難である。また、商業施設や街には公共用または私用のアクセスポイントが乱立しているため、逃亡を図った直後に逃亡した人物が、アクセスポイントが１つもない場所に辿り着くことも難しい。そのため本実施形態の捜索システムは、逃亡した人物を効率よく発見することができる。
【０１６２】
本実施形態の捜索システムを用いることで、被捜索側に発見される意思が無い場合でも、被捜索側無線装置１１０の発見を行うことができる。
【０１６３】
また、各実施形態における捜索者および被捜索者の無線装置は、必要に応じて、携帯電話端末またはその他の通信端末装置に機能を組み込むことで構成されていてもよい。また、各実施形態における捜索者および被捜索者の無線装置は、防犯ブザー、施設の入館証、入場券、リストバンド、衣服、アクセサリー類または輸送機器などと一体化してもよい。
【０１６４】
上記の実施形態の一部又は全部は、以下の付記のようにも記載されうるが、以下には限られない。
【０１６５】
（付記１）
無線信号を送受信する無線通信手段と、
捜索時用としてあらかじめ設定された文字列を含む第１の識別子の情報を、前記無線通信手段を介して送信する識別子送信手段と、
前記第１の識別子を受信した無線端末装置からの応答を基に、前記応答の発信元の前記無線端末装置の存在を検知する検知手段と
を備えることを特徴とする無線端末装置。
【０１６６】
（付記２）
自装置の位置情報を取得する位置情報取得手段をさらに備え、
前記識別子送信手段は、捜索時用の前記文字列と、前記位置情報とを含む前記第１の識別子の情報を送信することを特徴とする付記１に記載の無線端末装置。
【０１６７】
（付記３）
前記識別子送信手段は、捜索時用の前記文字列と、他の無線端末装置との相対的な順番または位置を示す情報とを含む前記第１の識別子の情報を送信することを特徴とする付記１に記載の無線端末装置。
【０１６８】
（付記４）
前記応答の発信元の前記無線端末装置の存在を検知したとき、前記応答の発信元の前記無線端末装置が存在することを示す情報を出力する情報出力手段をさらに備え、
前記情報出力手段は、前記応答の発信元の前記無線端末装置の位置情報が前記応答に含まれているとき、前記応答の発信元の前記無線端末装置の位置情報をさらに出力することを特徴とする付記１から３いずれかに記載の無線端末装置。
【０１６９】
（付記５）
前記第１の識別子を受信した無線端末装置から応答を検知したとき、前記応答の発信元の無線端末装置を発見したことを示す情報を情報処理装置に送信する情報送信手段をさらに備えることを特徴とする付記１から４いずれかに記載の無線端末装置。
【０１７０】
（付記６）
前記識別子送信手段は、所定の現象を検知したときに前記第１の識別子の情報を送信することを特徴とする付記１から５いずれかに記載の無線端末装置。
【０１７１】
（付記７）
前記無線通信手段は、他の無線端末装置から受信した信号をさらに他の無線端末装置に中継する手段をさらに有することを特徴とする付記１から６いずれかに記載の無線端末装置。
【０１７２】
（付記８）
無線信号を送受信する通信手段と、
前記通信手段が受信する前記無線信号に、捜索時用としてあらかじめ設定された文字列を含む第１の識別子の情報が含まれているとき、前記無線信号に対する応答を発信する応答手段と
を備えることを特徴とする無線端末装置。
【０１７３】
（付記９）
自装置の位置情報を取得する位置情報取得手段をさらに備え、
前記応答手段は、前記位置情報を含む前記応答を発信することを特徴とする付記８に記載の無線端末装置。
【０１７４】
（付記１０）
被捜索時用としてあらかじめ設定された文字列と、自装置の前記位置情報とを含む第２の識別子の情報を生成し、前記通信手段を介して送信する識別子生成手段をさらに備えることを特徴とする付記９に記載の無線端末装置。
【０１７５】
（付記１１）
前記無線信号に前記第１の識別子の情報が含まれているかを監視する監視手段と、
前記監視手段が、前記第１の識別子を検知していないとき、省電力モードで動作するように制御する制御手段と
を備えることを特徴とする付記８から１０いずれかに記載の無線端末装置。
【０１７６】
（付記１２）
無線信号を送受信する通信手段と、
前記通信手段が受信する前記無線信号に、他の無線端末装置の識別子の情報が含まれているとき、被捜索時用としてあらかじめ設定された文字列と、自装置の前記位置情報とを含む第２の識別子の情報を生成し、前記通信手段を介して送信する識別子生成手段
を備えることを特徴とする無線端末装置。
【０１７７】
（付記１３）
付記１から７いずれかに記載の無線端末装置からなる第１の端末装置と、
付記８から１２いずれかに記載の無線端末装置からなる第２の端末装置と
を備え、
前記第１の端末装置の前記識別子送信手段は前記識別子の情報を送信し、前記識別子の情報を受信した前記第２の端末装置の前記応答手段は、前記識別子を受信したことを示す前記応答を発信することを特徴とする捜索システム。
【０１７８】
（付記１４）
複数の前記第１の端末装置を備え、
複数の前記第１の端末装置のいずれかが前記第２の端末装置が発信した前記応答を検知したときに、前記応答を検知したことを示す情報を前記第１の端末装置間で中継して伝送することを特徴とする付記１３に記載の捜索システム。
【０１７９】
（付記１５）
複数の前記第１の端末装置のうち、少なくとも１つの前記第１の端末装置は、位置が固定されていることを特徴とする付記１４に記載の捜索システム。
【０１８０】
（付記１６）
前記第１の端末装置と通信する手段と、前記第１の端末装置を介して受信する前記第２の端末の情報を管理する手段とを有する情報処理装置をさらに備えることを特徴とする付記１３から１５いずれかに記載の捜索システム。
【０１８１】
（付記１７）
前記情報処理装置は、前記第２の端末装置を所持しているユーザの情報を保存した管理テーブルを有していることを特徴とする付記１６に記載の捜索システム。
【０１８２】
（付記１８）
付記７に記載の無線端末装置からなる複数の第１の端末装置と、
付記８から１２いずれかに記載の無線端末装置からなる第２の端末装置と
を備え、
前記第１の端末装置の前記識別子送信手段はそれぞれ前記識別子の情報を送信し、
前記識別子の情報を受信した前記第２の端末装置の前記応答手段は、前記識別子を受信したことを示す前記応答を発信し、
前記応答を受信した前記第１の端末装置は、他の前記第１の端末装置を中継して前記第２の端末装置を発見したこと示す情報を送信することを特徴とする捜索システム。
【０１８３】
（付記１９）
捜索時用としてあらかじめ設定された文字列を含む第１の無線端末装置の識別子の情報を送信し、
第２の無線端末装置において受信した無線信号に、前記識別子の情報が含まれているとき、前記無線信号に対する応答を前記第２の無線端末装置から発信し、
前記第２の無線端末装置から発信された前記応答を基に、前記第２の無線端末装置の存在を検知することを特徴とする通信方法。
【０１８４】
（付記２０）
前記第１の無線端末装置の位置情報を取得し、
捜索時用の前記文字列と、前記位置情報とを含む前記第１の識別子の情報を送信することを特徴とする付記１９に記載の通信方法。
【０１８５】
（付記２１）
捜索時用の前記文字列と、他の無線端末装置との相対的な順番または位置を示す情報とを含む前記第１の識別子の情報を送信することを特徴とする付記１９に記載の通信方法。
【０１８６】
（付記２２）
前記応答の発信元の前記第２の無線端末装置の位置情報が前記応答に含まれているとき、前記第２の無線端末装置の位置情報を出力することを特徴とする付記１９から２１いずれかに記載の通信方法。
【０１８７】
（付記２３）
前記第１の識別子を受信した前記第２の無線端末装置から応答を検知したとき、前記応答の発信元の前記第２の無線端末装置を発見したことを示す情報を情報処理装置に送信することを特徴とする付記１９から２２いずれかに記載の通信方法。
【０１８８】
（付記２４）
所定の現象を検知したときに前記第１の識別子の情報を送信することを特徴とする付記１９から２３いずれかに記載の通信方法。
【０１８９】
（付記２５）
他の無線端末装置から受信した信号をさらに他の無線端末装置に中継することを特徴とする付記１９から２４いずれかに記載の通信方法。
【０１９０】
（付記２６）
前記第２の無線端末装置の位置情報を取得し、
前記第２の無線端末装置の位置情報を含む前記応答を前記第２の無線端末装置から発信することを特徴とする付記１９から２５いずれかに記載の通信方法。
【０１９１】
（付記２７）
被捜索時用としてあらかじめ設定された文字列と、自装置の前記位置情報とを含む第２の識別子の情報を生成して前記第２の無線端末装置から送信することを特徴とする付記２６に記載の通信方法。
【０１９２】
（付記２８）
前記無線信号に前記第１の識別子の情報が含まれているかを監視し、
前記第１の識別子を検知していないとき、省電力モードで動作するように前記第２の無線端末装置を制御することを特徴とする付記２６または２７いずれかに記載の通信方法。
【０１９３】
（付記２９）
複数の前記第１の無線端末装置のいずれかが前記第２の無線端末装置が発信した前記応答を検知したときに、前記応答を検知したことを示す情報を前記第１の無線端末装置間で中継して伝送することを特徴とする付記１９から２８いずれかに記載の通信方法。
【０１９４】
（付記３０）
複数の前記第１の無線端末装置のうち、少なくとも１つの前記第１の無線端末装置は、位置が固定されていることを特徴とする付記１９から２９いずれかに記載の通信方法。
【０１９５】
（付記３１）
前記第１の無線端末装置を介して受信する前記第２の端末の情報を情報処理装置において管理することを特徴とする付記１９から３０いずれかに記載の通信方法。
【０１９６】
（付記３２）
前記情報処理装置において、前記第２の無線端末装置を所持しているユーザの情報を管理テーブルとして保存していることを特徴とする付記３１に記載の通信方法。
【符号の説明】
【０１９７】
１    無線通信手段
２    識別子送信手段
３    検知手段
１０    捜索側無線装置
１１    無線通信部
１２    制御部
１３    インターフェース部
１４    記憶部
１５    アクセスポイント機能部
１６    位置計測部
２０    被捜索側無線装置
２１    無線通信部
２２    制御部
２３    インターフェース部
２４    記憶部
２５    アクセスポイント機能部
２６    位置計測部
３０    捜索側無線装置
３１    無線通信部
３２    制御部
３３    インターフェース部
３４    アクセスポイント機能部
４０    被捜索側無線装置
４１    無線通信部
４２    制御部
４３    記憶部
５０    捜索側無線装置
６０    情報管理サーバ
６１    通信部
６２    制御部
６３    データ管理部
６４    インターフェース部
７０    通信ネットワーク
８０    捜索側無線装置
９０    情報管理サーバ
９１    通信部
９２    制御部
９３    データ管理部
９４    ユーザデータ管理部
９５    インターフェース部
１００    捜索側無線装置
１１０    被捜索側無線装置
【図１】
2018151839.tif 000003
【図２】
2018151839.tif 000004
【図３】
2018151839.tif 000005
【図４】
2018151839.tif 000006
【図５】
2018151839.tif 000007
【図６】
2018151839.tif 000008
【図７】
2018151839.tif 000009
【図８】
2018151839.tif 000010
【図９】
2018151839.tif 000011
【図１０】
2018151839.tif 000012
【図１１】
2018151839.tif 000013
【図１２】
2018151839.tif 000014
【図１３】
2018151839.tif 000015
【図１４】
2018151839.tif 000016
【図１５】
2018151839.tif 000017
【図１６】
2018151839.tif 000018
【図１７】
2018151839.tif 000019
【図１８】
2018151839.tif 000020
【図１９】
2018151839.tif 000021
【図２０】
2018151839.tif 000022
【図２１】
2018151839.tif 000023
【図２２】
2018151839.tif 000024
【図２３】
2018151839.tif 000025